(57)【要約】【課題】  比較的低圧の気体と比較的低圧との液体で微細なミストを噴霧できるミストノズルを用いることを前提として、ユーザの近傍でミストを噴霧しても、ユーザが濡れにくい、快適なミストを供給できるミスト供給システムを提供する。【解決手段】  加圧された気体及び加圧された液体によってミストを発生させるミストノズル１７０と、周辺環境の情報を取得する環境情報取得部１９０と、環境情報取得部１９０で取得された周辺環境の情報に基づいて、ミストノズル１７０から発生させるミストの粒径及びミスト発生量を制御する制御部１８０と、を備えたミスト供給システム１００とする。【選択図】図１
2018128235.tif 000002
【特許請求の範囲】
【請求項１】
加圧された気体及び加圧された液体によってミストを発生させるミストノズルと、
周辺環境の情報を取得する環境情報取得部と、
前記環境情報取得部で取得された前記周辺環境の情報に基づいて、前記ミストノズルから発生させる前記ミストの粒径及びミスト発生量を制御する制御部と、
を備えたミスト供給システム。
【請求項２】
前記周辺環境の情報は、前記周辺環境の気温及び湿度を含み、
前記制御部は、前記気温又は前記湿度が変化した場合に、前記ミストノズルから発生させる前記ミストの粒径及びミスト発生量を制御する、
請求項１に記載のミスト供給システム。
【請求項３】
前記制御部は、前記気温又は前記湿度が変化した場合に、前記ミストの粒径を維持した状態で、前記ミスト発生量を変化させるように制御する、
請求項２に記載のミスト供給システム。
【請求項４】
前記周辺環境の情報は、前記周辺環境の風速を含み、
前記制御部は、前記風速が所定値を超える場合に、前記ミストの発生を停止させる、
請求項１から３のいずれか１項に記載のミスト供給システム。
【請求項５】
前記加圧された気体を前記ミストノズルに供給する気体供給部と、
前記加圧された液体を前記ミストノズルに供給する液体供給部と、
をさらに備え、
前記制御部は、前記気体供給部から前記ミストノズルに供給される気体の圧力、及び／又は、前記液体供給部から前記ミストノズルに供給される液体の圧力を制御することにより、前記ミストノズルから発生させるミストの粒径及びミスト発生量を制御する、
請求項１から４のいずれか１項に記載のミスト供給システム。
【請求項６】
前記制御部は、
制御するミストの特性に応じて、前記気体の圧力及び前記液体の圧力を変化させる順序を変化させる、
請求項１から５のいずれか１項に記載のミスト供給システム。
【請求項７】
前記環境情報取得部は、ネットワークを介して提供される前記周辺環境の情報を取得する、
請求項１から６のいずれか１項に記載のミスト供給システム。
【発明の詳細な説明】
【技術分野】
【０００１】
本発明は、加圧された気体及び加圧された液体によってミストを発生させる、２流体ノズルを備えたミスト供給システムに関する。
【背景技術】
【０００２】
従来、液体を微粒子にしたミストを空間に噴霧するミスト供給システムが知られている。ミスト供給システムは、ミストが気化する際に気化熱を吸収することを利用して空間を冷却し、ユーザに快適な休憩所等を提供する冷却システムである。例えば、特許文献１に記載のミスト供給システムは、博覧会のパビリオン又は競技場等の集客施設の入口又はその付近にミストノズルを設置し、当該入口又はその付近が冷却必要温度以上の高温領域にある時、ミストノズルからミストを噴出させる。
【０００３】
また、例えば、特許文献２に記載のミスト供給システムは、温湿度計により計測された温度及び湿度に基づいて噴霧の可否を判断するとともに、ミスト発生量を算出して、高圧ポンプからの給水量を制御する。
【０００４】
特許文献１及び特許文献２に開示されているミスト供給システムは、いずれもミストノズルに高圧水のみが供給される１流体ノズルを用いている。１流体ノズルを用いたミスト供給システムは、液体用の高圧ポンプのみでミストが供給されるため、ミスト供給システムが消費するエネルギーを抑制することができる。
【先行技術文献】
【特許文献】
【０００５】
【特許文献１】特開平６−１０９３４１号公報
【特許文献２】特開２００６−１７７５７５号公報
【発明の概要】
【発明が解決しようとする課題】
【０００６】
しかしながら、１流体ノズルから噴霧されるミストは、ミスト粒径が比較的大きく、ミストの気化が遅いという特性がある。このため、ユーザの近傍でミストを噴霧すると、ユーザにミストが付着して濡れてしまい、ユーザに快適な空間を提供できない場合がある。ユーザが濡れないようにするため、ユーザから離れた高所からミストを噴霧することも可能であるが、ミストが風で流されて噴霧エリア外に飛散しやすくなり、目的とする空間を適切に冷却できない場合がある。
【０００７】
また、１流体ノズルを用いたミスト供給システムは、１流体ノズルに高圧の液体を供給するための耐圧配管が必要であり、ミスト供給システムの設置に高コストが掛かるという問題もある。
【０００８】
１流体ノズルの問題点を解消するため、ミスト供給システムのミストノズルとして、高圧気体と高圧液体とによってミストを発生させる２流体ノズルを用いることも考えられる。２流体ノズルは、１流体ノズルと比較すると、粒径が小さいミストを噴霧できるという特性がある。
【０００９】
しかしながら、従来の一般的な２流体ノズルを用いたミスト供給システムは、気体用の高圧ポンプと、液体用の高圧ポンプとが必要である。このため、ミスト供給システムの運転に多くのエネルギーが必要であり、ランニングコストが増大するという問題がある。また、２流体ノズルを用いたミスト供給システムは、気体用の高圧ポンプ、液体用の高圧ポンプ、及び高圧気体用と高圧液体用のそれぞれの耐圧配管が必要であり、ミスト供給システムが大規模になり、ミスト供給システムの設置に高コストが掛かるという問題がある。さらに、従来の一般的な２流体ノズルでは、液体の流量を多くしてミスト発生量を増大させると、微細なミストを生成することが困難になるという特性を有していた。
【００１０】
本出願人は、従来の２流体ノズルが有する課題を解消するため、比較的低圧の気体と比較的低圧の液体とを供給することで微細なミストを噴霧できるミストノズルを提案している。このミストノズルを用いたミスト供給システムによれば、気体用のポンプ及び液体用のポンプを共に小型化することができるため、ミスト供給システムが消費するエネルギーが抑制され、ランニングコストを低減させることができる。また、気体用の高圧配管と液体用の高圧配管とが不要になるため、ミスト供給システムの設置コストを抑制することができる。さらに、本出願人が開発したミストノズルは、２流体ノズルでありながら、液体の流量を多くしてミスト発生量を増大させた場合でも、微細なミストを生成できるという特性を有している。
【００１１】
本発明は、比較的低圧の気体と比較的低圧の液体とで微細なミストを噴霧できるミストノズルを用いることを前提として、ユーザの近傍でミストを噴霧しても、ユーザが濡れにくい、快適なミストを供給できるミスト供給システムの提供を目的とする。
【課題を解決するための手段】
【００１２】
本発明の１つの態様にかかるミスト供給システムは、
加圧された気体及び加圧された液体によってミストを発生させるミストノズルと、
周辺環境の情報を取得する環境情報取得部と、
前記環境情報取得部で取得された前記周辺環境の情報に基づいて、前記ミストノズルから発生させる前記ミストの粒径及びミスト発生量を制御する制御部と、
を備える。
【発明の効果】
【００１３】
本発明の前記態様にかかるミスト供給システムによれば、前記制御部は、前記環境情報取得部で取得された前記周辺環境の情報に基づいて、前記ノズルから発生させる前記ミストの粒径及びミスト発生量を制御する。このため、ユーザの近傍でミストを噴霧しても、ユーザが濡れにくい、快適なミストを供給することができる。
【図面の簡単な説明】
【００１４】
【図１】図１は、本発明の第１実施形態に係るミスト供給システムの全体構成を示す図である。
【図２】図２は、ミスト供給システムに用いられるミストノズルの左側面図である。
【図３】図３は、図２の３−３線におけるミストノズルの平面断面図である。
【図４】図４は、図２の４−４線におけるミストノズルの背面断面図である。
【図５】図５は、第１実施形態のミスト供給システムに用いられるミストノズルの特性の概略を示すグラフである。
【図６】図６は、ミスト制御システムの構成を示す概略図である。
【図７】図７は、第１運転モード判定基準データに記録された気温、湿度、及び運転モードについての関係を示すマップを表す図である。
【図８】図８は、第２運転モード判定基準データに記録された風速、及び運転モードについての関係を示す表形式の図である。
【図９】図９は、運転モード制御データに記録された、運転モード、気体圧力、及び液体圧力の関係を示すテーブル形式の図である。
【図１０】図１０は、運転モードと、それに対応するミスト噴霧条件、ミスト粒径、及びミスト発生量の関係を示す表形式の図である。
【図１１】図１１は、ミスト供給システムの運転を制御するフローを示す図である。
【発明を実施するための形態】
【００１５】
以下、図面を参照して本発明における実施形態を詳細に説明する前に、本発明の種々の形態について説明する。
【００１６】
本発明の第１の構成にかかるミスト供給システムとしては、
加圧された気体及び加圧された液体によってミストを発生させるミストノズルと、
周辺環境の情報を取得する環境情報取得部と、
前記環境情報取得部で取得された前記周辺環境の情報に基づいて、前記ミストノズルから発生させる前記ミストの粒径及びミスト発生量を制御する制御部と、
を備えたミスト供給システムである。
【００１７】
前記第１の構成によれば、制御部は、環境情報取得部で取得された周辺環境の情報に基づいて、ノズルから発生させるミストの粒径及びミスト発生量を制御する。このため、ユーザの近傍でミストを噴霧しても、ユーザが濡れにくい、快適なミストを供給することができる。
【００１８】
本発明の第２の構成にかかるミスト供給システムとしては、前記第１の構成において、
前記周辺環境の情報は、前記周辺環境の気温及び湿度を含み、
前記制御部は、前記気温又は前記湿度が変化した場合に、前記ミストノズルから発生させる前記ミストの粒径及びミスト発生量を制御してもよい。
【００１９】
前記第２の構成によれば、気温又は湿度に応じてミストの気化速度が変化するため、ミスト粒径及びミスト発生量を制御してミストの気化速度を制御することにより、ユーザの近傍でミストを噴霧しても、ユーザが濡れにくい、快適なミストを供給することができる。
【００２０】
本発明の第３の構成にかかるミスト供給システムとしては、前記第２の構成において、
前記制御部は、前記気温、及び／又は、前記湿度が変化した場合に、前記ミストの粒径を維持した状態で、前記ミスト発生量を変化させるように制御してもよい。
【００２１】
前記第３の構成によれば、ミスト粒径に応じてミストの気化速度が変化するため、ミスト粒径を維持してミストの気化速度を維持しながら、ミスト発生量を制御することにより、ユーザの近傍でミストを噴霧しても、ユーザが濡れにくい、快適なミストを供給することができる。
【００２２】
本発明の第４の構成にかかるミスト供給システムとしては、前記第１から第３のいずれか１つの構成において、
前記周辺環境の情報は、前記周辺環境の風速を含み、
前記制御部は、前記風速が所定値を超える場合に、前記ミストの発生を停止させてもよい。
【００２３】
前記第４の構成によれば、ミストが風で流れて空間を適切に冷却できなくなる場合に、ミストの発生を停止することができる。
【００２４】
本発明の第５の構成にかかるミスト供給システムとしては、前記第１から第４のいずれか１つの構成において、
前記加圧された気体を前記ミストノズルに供給する気体供給部と、
前記加圧された液体を前記ミストノズルに供給する液体供給部と、
をさらに備え、
前記制御部は、前記気体供給部から前記ミストノズルに供給される気体の圧力、及び／又は、前記液体供給部から前記ミストノズルに供給される液体の圧力を制御することにより、前記ミストノズルから発生させるミストの粒径及びミスト発生量を制御してもよい。
【００２５】
前記第５の構成によれば、気体の圧力と液体の圧力を制御することにより、ミストノズルから発生させるミストの粒径及びミスト発生量を制御するため、ユーザの近傍でミストを噴霧しても、ユーザが濡れにくい、快適なミストを供給することができる。
【００２６】
本発明の第６の構成にかかるミスト供給システムとしては、前記第１から第５のいずれか１つの構成において、
前記制御部は、
制御するミストの特性に応じて、前記気体の圧力及び前記液体の圧力を変化させる順序を変化させてもよい。
【００２７】
前記第６の構成によれば、気体の圧力及び液体の圧力を変化させて、ミストノズルから発生させるミストの粒径及びミスト発生量を制御する場合に、発生させるミストの粒径が不用意に大きくなってユーザを濡らすことを抑制することができる。
【００２８】
本発明の第７の構成にかかるミスト供給システムとしては、前記第１から第６のいずれか１つの構成において、
前記環境情報取得部は、ネットワークを介して提供される前記周辺環境の情報を取得してもよい。
【００２９】
前記第７の構成によれば、ネットワークを介して提供される周辺環境の情報を取得するため、周辺環境の情報を取得するセンサ類を設置しなくても周辺環境の情報を取得することができる。
【００３０】
［第１実施形態］
以下、図面を参照し、本発明の第１実施形態に係るミスト供給システム１００について詳しく説明する。図中、同一又は相当部分には同一符号を付してその説明は繰り返さない。なお、説明を分かりやすくするために、以下で参照する図面においては、構成が簡略化又は模式化して示されたり、一部の構成部材が省略されたりしている。また、各図に示された構成部材間の寸法比は、必ずしも実際の寸法比を示すものではない。
【００３１】
［全体構成］
まず、ミスト供給システム１００の全体構成について説明する。図１は、本発明の第１実施形態に係るミスト供給システム１００の全体構成を示す図である。以下の図では、矢印Ｒはミスト供給システム１００又はミストノズル１７０の右方向を示し、矢印Ｌは左方向を示す。矢印Ｕは上方向、矢印Ｄは下方向を示す。矢印Ｆは前方向、矢印Ｂは後方向を示す。
【００３２】
図１に示すように、ミスト供給システム１００は、少なくともミストノズル１７０と、制御部１８０と、環境情報取得部１９０とを備えている。さらに詳しくは、ミスト供給システム１００は、貯溜槽１１０と、気体供給部１３０と、液体供給部１５０とをさらにを備えている。
【００３３】
貯溜槽１１０は、ミストノズル１７０に供給される液体を貯溜する。第１実施形態では、貯溜槽１１０は、ミストノズル１７０に供給される液体の例として水を貯溜する。貯溜槽１１０は、第１送液配管１２１を介して液体供給部１５０に接続されている。貯溜槽１１０には、液体供給管１２３が設けられている。貯溜槽１１０内には、外部から液体供給管１２３を介して液体が供給される。
【００３４】
液体供給部１５０は、ミストノズル１７０に加圧された液体を供給する。液体供給部１５０は、液体ポンプ１５１及び液体圧力センサ１５２を備えている。液体ポンプ１５１は、第１送液配管１２１及び第２送液配管１２２が接続されている。第２送液配管１２２はミストノズル１７０に接続されている。液体ポンプ１５１は、貯溜槽１１０から供給された液体をミストノズル１７０に圧送する。液体ポンプ１５１は、ミストノズル１７０に供給する液体の圧力を変更可能である。液体圧力センサ１５２は、ミストノズル１７０に供給される液体の圧力を検知する。
【００３５】
なお、第１実施形態では、ミストノズル１７０に供給される液体を水としたが、他の液体を用いてもよい。また、ミストノズル１７０に供給される液体を改質水としてもよい。例えば、貯溜槽１１０の水中１１０Ａにプラズマ発生装置を設けることにより、貯溜槽１１０内に改質水を生成することができる。水中でプラズマを発生させることにより、水の解離反応が起こり、ＯＨラジカルが生成される。水中で生成されるＯＨラジカルは、酸化還元電位が高く、非常に酸化力が強いことから、水中に含まれる雑菌の分解除去が可能となる。また、水中でＯＨラジカルが発生すると、ＯＨラジカル同士の再結合反応により、その副生成物として過酸化水素が生成される。過酸化水素は、比較的高い酸化力を持つ活性酸素の一種であり、殺菌作用がある。貯溜槽１１０で改質水を生成することにより、貯溜槽１１０内の雑菌の分解除去が可能になるとともに、改質水をミストノズル１７０から噴霧することができる。
【００３６】
気体供給部１３０は、ミストノズル１７０に加圧された気体を供給する。第１実施形態では、ミストノズル１７０に供給される気体の例は空気である。気体供給部１３０は、気体ポンプ１３１及び気体圧力センサ１３２を備えている。気体ポンプ１３１は、第１気体配管１４０を介してミストノズル１７０に接続されており、ミストノズル１７０に気体を圧送する。気体ポンプ１３１は、ミストノズル１７０に供給する気体の圧力を変更可能である。気体圧力センサ１３２は、ミストノズル１７０に供給される気体の圧力を検知する。なお、第１実施形態では、ミストノズル１７０に供給される気体を空気としたが、他の気体を用いてもよい。
【００３７】
ミストノズル１７０は、気体供給部１３０から供給される加圧気体、及び液体供給部１５０から供給される加圧液体によってミストを発生させる２流体ノズルである。第１実施形態のミストノズル１７０は、供給される気体の圧力、及び供給される液体の圧力を制御することにより、ノズルから発生させるミストの粒径及びミスト発生量を制御することが可能である。ミストノズル１７０については後に詳細に説明する。
【００３８】
環境情報取得部１９０は、ミスト供給システム１００、特にミストノズル１７０が設置される周辺環境の情報を取得する。環境情報取得部１９０は、気温センサ１９１、湿度センサ１９２及び風速センサ１９３を有している。気温センサ１９１、湿度センサ１９２及び風速センサ１９３は、それぞれ、気温、湿度及び風速について周辺環境の情報として検出した検出信号を制御部１８０にそれぞれ入力する。
【００３９】
なお、第１実施形態では、環境情報取得部１９０は、気温センサ１９１、湿度センサ１９２及び風速センサ１９３によって周辺環境の情報を取得するが、他の手段によって周辺環境の情報を取得してもよい。例えば、環境情報取得部１９０をネットワーク通信部とし、インターネットなどのネットワークを介して提供される気象情報等によって周辺環境の情報を取得するようにしてもよい。
【００４０】
制御部１８０は、環境情報取得部１９０で取得された周辺環境の情報に基づいて、ミストノズル１７０から発生させるミストの粒径及びミスト発生量を制御する。また、制御部１８０は、環境情報取得部１９０で取得された周辺環境の情報に基づいて、ミストの発生と停止とを制御する。ミストの粒径及びミスト発生量の制御は、気体供給部１３０からミストノズル１７０に供給される気体の圧力、及び、液体供給部１５０からミストノズル１７０に供給される液体の圧力を制御することにより行われる。制御部１８０については、後に詳細に説明する。
【００４１】
［ミストノズル］
図２は、ミスト供給システム１００に用いられるミストノズル１７０の左側面図である。図２に示すように、ミストノズル１７０は、ノズル本体２１０、気体オリフィス２３０、及びキャップ２４０を備えている。気体オリフィス２３０の内側には、液体オリフィス２２０（図３参照）が設けられている。ミストノズル１７０の左側面には、気体流路入口２１３が形成されている。
【００４２】
図３は、図２の３−３線におけるミストノズル１７０の平面断面図である。図３に示すように、ノズル本体２１０の内部には、液体流路２１２及び気体流路２１４が形成されている。液体流路２１２は、ノズル本体２１０の中心部を貫通するように後部から前部にかけて形成されている。液体流路２１２の後端部には、液体流路入口２１１が形成されている。液体流路入口２１１には、第２送液配管１２２（図１参照）が接続される。
【００４３】
気体流路２１４は、液体流路２１２に対して平行に形成されている。気体流路２１４は、液体流路２１２の周囲において筒状に形成されている。気体流路２１４の後部には、左方に向けて気体流路入口２１３が形成されている。気体流路入口２１３には、第１気体配管１４０（図１参照）が接続される。
【００４４】
液体オリフィス２２０は、液体流路２１２の前端を覆うように配置されている。液体オリフィス２２０の軸中心部には、液体流路２１２と連通するように、液体噴出口２２１が形成されている。液体噴出口２２１の内径は液体流路２１２の内径よりも小さくなっている。
【００４５】
気体オリフィス２３０は、液体オリフィス２２０を覆うようにノズル本体２１０の前部に配置されている。気体オリフィス２３０の前部の中心部には、ミスト噴出口２３１が形成されている。気体オリフィス２３０の背面２３０Ｂには、背面２３０Ｂの中心から放射線状に凹溝２３０Ｃが形成されている（図４参照）。液体オリフィス２２０の前面と気体オリフィス２３０の凹溝２３０Ｃ以外の平らな背面２３０Ｂとが当接され、固定されることにより、一例として６本の凹溝２３０Ｃが密閉されて６本の気体オリフィス流路２３２が形成されている。また、液体オリフィス２２０の筒状部２２０Ａと気体オリフィス２３０の筒状部２３０Ａとの間には気体環状流路２３３が形成されている。気体環状流路２３３は、気体流路２１４及び６本の気体オリフィス流路２３２に連通している。
【００４６】
キャップ２４０は、ノズル本体２１０に対して液体オリフィス２２０及び気体オリフィス２３０を固定する。キャップ２４０の筒状部の内周面及びノズル本体２１０の前部の外周面には、ノズル本体２１０とキャップ２４０とを螺合させるための螺合部（図示せず）が形成されている。ノズル本体２１０の前部に液体オリフィス２２０及び気体オリフィス２３０を配置した上で、キャップ２４０をノズル本体２１０に螺合させることにより、ノズル本体２１０、液体オリフィス２２０、気体オリフィス２３０、及びキャップ２４０が一体的に固定される。
【００４７】
図４は、図２の４−４線におけるミストノズル１７０の背面断面図である。図４に示すように、気体オリフィス２３０には、軸中心方向に貫通するミスト噴出口２３１が形成されている。気体オリフィス２３０の背面２３０Ｂには、ミスト噴出口２３１から放射線状に等間隔で凹溝２３０Ｃが形成されている。液体オリフィス２２０と気体オリフィス２３０とが当接し、キャップ２４０によって固定されることにより、各凹溝２３０Ｃが密閉され、各気体オリフィス流路２３２が形成される。
【００４８】
以上の構成を備えたミストノズル１７０に気体供給部１３０と液体供給部１５０とから加圧気体及び加圧液体が供給されることにより、ミスト噴出口２３１から微細なミストが噴霧される。
【００４９】
ミストが生成される原理について説明すると、図３を参照して、液体流路入口２１１から供給された加圧液体は、液体流路２１２を通り、液体噴出口２２１から前方に向けて噴射される。一方、気体流路入口２１３から供給された加圧気体は、気体流路２１４、気体環状流路２３３及び気体オリフィス流路２３２を通り、ミストノズル１７０の軸中心方向に向けて噴射される。第１実施形態のミストノズル１７０は、６本の気体オリフィス流路２３２が形成されており（図４参照）、全ての気体オリフィス流路２３２から中心方向に噴射された加圧気体は、気体オリフィス２３０の中心軸上で互いに衝突する。また、加圧気体が互いに衝突する衝突部に向けて、液体噴出口２２１から加圧液体が噴射される。噴射された加圧液体は、衝突部で加圧空気と混合されて、微細なミストが生成される。このように生成された微細なミストは、ミスト噴出口２３１より、ミストノズル１７０の外部に噴霧される。そして、気体供給部１３０からミストノズル１７０に供給される気体の圧力及び液体供給部１５０からミストノズル１７０に供給される液体の圧力を制御部１８０でそれぞれ制御することにより、ミストノズル１７０から噴霧されるミストの粒径及びミスト発生量を制御することが可能である。
【００５０】
図５は、第１実施形態のミスト供給システム１００に用いられるミストノズル１７０の特性の概略を示すグラフである。図５の縦軸はミストノズル１７０に供給される加圧気体の流量を示し、横軸はミストノズル１７０に供給される加圧液体の流量を示している。ミストノズル１７０に供給される加圧気体の流量、及びミストノズル１７０に供給される加圧液体の流量は、ミストノズル１７０に供給される加圧気体の圧力、及びミストノズル１７０に供給される加圧液体の圧力によって制御することが可能である。なお、ミストノズル１７０に供給される加圧液体の流量（横軸）は、ミストノズル１７０から噴霧されるミスト発生量に等しい。横軸の加圧液体の流量（ミスト発生量）ＦＷ１、ＦＷ２、及びＦＷ３の大小関係は、ＦＷ１＜ＦＷ２＜ＦＷ３である。
【００５１】
実線で示した気体圧力線ＰＡ１、ＰＡ２、・・・、ＰＡ５は、それぞれ、ミストノズル１７０に供給される加圧気体の圧力ＰＡ１、ＰＡ２、・・・、ＰＡ５を示している。気体圧力ＰＡ１、ＰＡ２、・・・、ＰＡ５の大小関係は、ＰＡ１＜ＰＡ２＜ＰＡ３＜ＰＡ４＜ＰＡ５である。
【００５２】
二点鎖線で示した液体圧力線ＰＷ１、ＰＷ２、・・・、ＰＷ５は、それぞれ、ミストノズル１７０に供給される加圧液体の圧力ＰＷ１、ＰＷ２、・・・、ＰＷ５を示している。液体圧力ＰＷ１、ＰＷ２、・・・、ＰＷ５の大小関係は、ＰＷ１＜ＰＷ２＜ＰＷ３＜ＰＷ４＜ＰＷ５である。
【００５３】
つまり、気体圧力線ＰＡ１、ＰＡ２、・・・、ＰＡ５、液体圧力線ＰＷ１、ＰＷ２、・・・、ＰＷ５ともに、グラフの上方になるほど、ミストノズル１７０に供給される加圧気体の圧力、及びミストノズル１７０に供給される加圧液体の圧力が高くなっている。
【００５４】
気体圧力線ＰＡ１、ＰＡ２、・・・、ＰＡ５上のミスト噴霧条件Ｐ１１、Ｐ１２、Ｐ１３、・・・、Ｐ５１、Ｐ５２、及びＰ５３は、ミストノズル１７０に気体圧力ＰＡ１、ＰＡ２、・・・、ＰＡ５の加圧気体を供給し、かつ、液体圧力を変動（圧力ＰＷ１以下からＰＷ５以上）させて加圧液体を供給した場合のミスト粒径Ｄ１１、Ｄ１２、Ｄ１３、・・・、Ｄ５１、Ｄ５２、及びＤ５３、及びミスト発生量（ＦＷ１、ＦＷ２、及びＦＷ３）を示している。
【００５５】
例えば、ミスト噴霧条件Ｐ１１は、気体圧力線ＰＡ１上にあり、かつ、ほぼ液体圧力線ＰＷ１上にある。このため、ミスト噴霧条件Ｐ１１は、ミストノズル１７０に気体圧力ＰＡ１の加圧気体、及び液体圧力ＰＷ１の加圧液体を供給した場合に、ミストノズル１７０は、ミスト粒径Ｄ１１、及びミスト発生量ＦＷ１のミストを発生することを示している。
【００５６】
ミスト噴霧条件Ｐ１２は、気体圧力線ＰＡ１上にあり、かつ、液体圧力線ＰＷ１とＰＷ２のほぼ中央位置（仮に、液体圧力ＰＷ１．５とする）にある。このため、ミスト噴霧条件Ｐ１２は、ミストノズル１７０に気体圧力ＰＡ１の加圧気体、及び液体圧力ＰＷ１．５の加圧液体を供給した場合に、ミストノズル１７０は、ミスト粒径Ｄ１２、及びミスト発生量ＦＷ２のミストを発生することを示している。
【００５７】
ミスト噴霧条件Ｐ１３は、気体圧力線ＰＡ１上にあり、かつ、液体圧力線ＰＷ２とＰＷ３のほぼ中央位置（仮に、液体圧力ＰＷ２．５とする）にある。このため、ミスト噴霧条件Ｐ１３は、ミストノズル１７０に気体圧力ＰＡ１の加圧気体、及び液体圧力ＰＷ２．５の加圧液体を供給した場合に、ミストノズル１７０は、ミスト粒径Ｄ１３、及びミスト発生量ＦＷ３のミストを発生することを示している。
【００５８】
また、ミスト粒径Ｄ１１、・・・、Ｄ５３の円の大小関係は、ミスト粒径の相対的な大小関係を模式的に表している。例えば、横軸方向のミスト粒径Ｄ１１、Ｄ１２、及びＤ１３の大小関係は、円の大小で示されているようにＤ１１＜Ｄ１２＜Ｄ１３である。また、縦軸方向のミスト粒径Ｄ１１、Ｄ２１、Ｄ３１、Ｄ４１、及びＤ５１の大小関係は、円の大小で示されているようにＤ１１＞Ｄ２１＞Ｄ３１＞Ｄ４１＞Ｄ５１である。また、例えば、ミスト粒径Ｄ２１とミスト粒径Ｄ４２のように円の大きさが略同等であるものは、ミスト粒径が略同等であることを表している。なお、これらはミスト粒径の相対的な大小関係を模式的に表したものであり、厳密な大小関係、又は厳密な粒径の比率を表したものではない。ここで、ミスト粒径は、ミストノズル１７０の中心軸上で気体オリフィス２３０の噴出側表面から３０ｃｍ離れた箇所で、レーザー回折法を用いて計測したザウター平均粒径を用いている。
【００５９】
以上より、ミストノズル１７０は、例えば、気体圧力ＰＡ１の加圧気体が供給された状態で、加圧液体の液体圧力をＰＷ１、ＰＷ１．５、ＰＷ２．５へと変化させることにより、ミストの粒径がＤ１１、Ｄ１２、Ｄ１３へと変化し、ミスト発生量がＦＷ１、ＦＷ２、ＦＷ３へと変化する特性を有している。このように気体圧力を一定として液体圧力を変化させることにより、ミストの粒径、及びミスト発生量が変化する特性は、気体圧力線ＰＡ２、・・・、ＰＡ５上のミスト噴霧条件Ｐ２１、Ｐ２２、Ｐ２３、・・・、Ｐ５１、Ｐ５２、及びＰ５３についても同様である。そして、このことは、気体供給部１３０からミストノズル１７０に供給される気体の圧力、及び液体供給部１５０からミストノズル１７０に供給される液体の圧力を、図５に示したミストノズル１７０の特性に従って制御することにより、ミストノズル１７０から噴霧されるミストの粒径及びミスト発生量を所定の値に制御することが可能であることを示している。なお、図５では、気体圧力ＰＡをＰＡ１、ＰＡ２、・・・、ＰＡ５の間で段階的に変化させた特性を示したが、気体圧力ＰＡを、気体圧力ＰＡ１とＰＡ２の間の圧力、あるいは気体圧力ＰＡ２とＰＡ３の間の圧力のように、気体圧力ＰＡを細かく変化させてもよい。
【００６０】
なお、ミスト発生中にミスト噴霧条件を変化させて、ミスト粒径及びミスト発生量を変化させる場合は、ミスト粒径が不用意に大きくならないように、気体圧力及び液体圧力を制御することが好ましい。ミスト粒径が不用意に大きくなると、ミストがユーザに付着してユーザが濡れる恐れがあるためである。例えば、気体圧力を先に調整し、その後、液体圧力を調整することで、不用意にミスト粒径が大きくなることを抑制することができる。
【００６１】
［制御部］
図６は、ミスト制御システム２００の構成を示す概略図である。ミスト制御システム２００は、ミスト供給システム１００の運転を制御するシステムである。図６では、ミスト制御システム２００のうち、主にミストの発生と停止、ミストの粒径、及びミスト発生量を制御するための構成を示している。ミスト制御システム２００は、制御部１８０、環境情報取得部１９０、気体供給部１３０、及び液体供給部１５０を備えている。
【００６２】
環境情報取得部１９０は、気温センサ１９１、湿度センサ１９２及び風速センサ１９３を有しているが、少なくともいずれか１つのセンサがあればよい。
【００６３】
気温センサ１９１は、周辺環境の気温を検出する。気温センサ１９１からの検出信号は、制御部１８０に入力される。制御部１８０は、気温センサ１９１からの検出信号に基づいて、周辺環境の気温を算出する。
【００６４】
湿度センサ１９２は、周辺環境の湿度を検出する。湿度センサ１９２からの検出信号は、制御部１８０に入力される。制御部１８０は、湿度センサ１９２からの検出信号に基づいて、周辺環境の湿度を算出する。
【００６５】
風速センサ１９３は、周辺環境の風速を検出する。風速センサ１９３からの検出信号は、制御部１８０に入力される。制御部１８０は、風速センサ１９３からの検出信号に基づいて、周辺環境の風速を算出する。
【００６６】
制御部１８０には、気体供給部１３０、及び液体供給部１５０が接続されている。制御部１８０は、気体供給部１３０及び液体供給部１５０を制御することにより、ミストの発生と停止、ミストの粒径、及びミスト発生量を制御する。
【００６７】
制御部１８０は、メモリ１８１と、運転モード判定部１８３と、気体供給制御部１８５と、液体供給制御部１８７とを備えている。
【００６８】
メモリ１８１は、気体供給部１３０及び液体供給部１５０の動作に関するデータを記憶している。メモリ１８１には、第１運転モード判定基準データＤＥ１、第２運転モード判定基準データＤＥ２、及び、運転モード制御データＤＥ３が保存されている。第１運転モード判定基準データＤＥ１には、周辺環境の気温及び湿度に基づいて、運転モードＭＤを判定するための判定基準が記録されている。第２運転モード判定基準データＤＥ２には、周辺環境の風速に基づいて、運転モードＭＤを判定するための判定基準が記録されている。運転モード制御データＤＥ３には、判定された運転モードＭＤに対応させて、気体供給部１３０及び液体供給部１５０を制御するためのデータが記録されている
運転モード判定部１８３は、メモリ１８１に記憶されている第１運転モード判定基準データＤＥ１、及び/又は第２運転モード判定基準データＤＥ２を参照し、算出された周辺環境の気温、湿度、及び/又は風速に基づいて、周辺環境に適合した運転モードＭＤを判定する。
【００６９】
気体供給制御部１８５は、メモリ１８１に記憶されている運転モード制御データＤＥ３を参照し、運転モード判定部１８３で判定された運転モードＭＤに対応させて、気体供給部１３０の運転を制御する。気体供給部１３０の運転制御では、気体圧力センサ１３２で検知された気体圧力及び運転モード制御データＤＥ３に基づいて、気体ポンプ１３１からミストノズル１７０に供給される気体圧力ＰＡを制御する。
【００７０】
液体供給制御部１８７は、メモリ１８１に記憶されている運転モード制御データＤＥ３を参照し、運転モード判定部１８３で判定された運転モードＭＤに対応させて、液体供給部１５０の運転を制御する。液体供給部１５０の運転制御では、液体圧力センサ１５２で検知された液体圧力及び運転モード制御データＤＥ３に基づいて、液体ポンプ１５１からミストノズル１７０に供給される液体圧力ＰＷを制御する。
【００７１】
図７は、第１運転モード判定基準データＤＥ１に記録された気温ＴＤ、湿度ＨＤ、及び運転モードＭＤについての関係を示すマップである。マップの横軸は、気温ＴＤであり、マップの縦軸は、湿度ＨＤである。周辺環境の気温ＴＤ及び湿度ＨＤは、地域、季節、天候、又は時刻等によって様々な組み合わせで変化しうる。図７のマップでは、横軸の気温ＴＤは、最低気温ＴＤＳから最高気温ＴＤＥの範囲とし、縦軸の湿度ＨＤは、最低湿度ＨＤＳから最高湿度ＨＤＥの範囲とする。最低気温ＴＤＳから最高気温ＴＤＥの範囲は、例えば２０℃から５０℃程度の範囲であり、最低湿度ＨＤＳから最高湿度ＨＤＥの範囲は、例えば０％から１００％の範囲である。
【００７２】
第１運転モード判定基準データＤＥ１では、気温ＴＤ及び湿度ＨＤの組み合わせにより、運転モードＭＤを変化させている。第１実施形態では、運転モードＭＤをミスト発生モードとミスト停止モードとの２つに分け、ミスト発生モードを、さらに強、中、弱の３段階に分けている。ミスト発生モードは、基本的には下記の観点から判定されている。
【００７３】
気温が高い場合は、ミストの蒸発速度が速くなるため、ユーザの近傍でミストを噴霧してもミストは速やかに気化し、ユーザが濡れにくい状態となる。このため、気温が高い場合は、ミスト粒径を大きくし、かつ、ミスト発生量を多くする（運転モード：ミスト発生（強〜中））。
【００７４】
湿度が高い場合は、蒸発速度が遅くなるため、ユーザの近傍でミストを噴霧すると、ユーザにミストが付着してユーザが濡れる恐れがある。このため、湿度が高い場合は、ミスト粒径を小さくし、かつ、ミスト発生量を少なくする（運転モード：ミスト発生（弱〜中））。
【００７５】
気温が低く、かつ、湿度が高い場合は、ミストの発生を停止させる（運転モード：ミスト停止）。
【００７６】
ミスト発生モードは、具体的には、図７に示すマップによって判定されている。図７に示すように、気温ＴＤ３≦気温ＴＤ≦最高気温ＴＤＥ、かつ、最低湿度ＨＤＳ≦湿度ＨＤ≦湿度ＨＤ１の領域ＡＲ１を、運転モードＭＤ＝ミスト発生（強）と判定する領域とする。
【００７７】
気温ＴＤ２≦気温ＴＤ＜気温ＴＤ３、かつ、最低湿度ＨＤＳ≦湿度ＨＤ≦湿度ＨＤ２、又は、気温ＴＤ２≦気温ＴＤ≦最高気温ＴＤＥ、かつ、湿度ＨＤ１＜湿度ＨＤ≦湿度ＨＤ２の領域ＡＲ２を、運転モードＭＤ＝ミスト発生（中）と判定する領域とする。
【００７８】
気温ＴＤ１≦気温ＴＤ＜気温ＴＤ２、かつ、最低湿度ＨＤＳ≦湿度ＨＤ≦湿度ＨＤ３、又は、気温ＴＤ１≦気温ＴＤ≦最高気温ＴＤＥ、かつ、湿度ＨＤ２＜湿度ＨＤ≦湿度ＨＤ３の領域ＡＲ３を、運転モードＭＤ＝ミスト発生（弱）と判定する領域とする。
【００７９】
最低気温ＴＤＳ≦気温ＴＤ＜気温ＴＤ１、かつ、最低湿度ＨＤＳ≦湿度ＨＤ≦最高湿度ＨＤＥ、又は、最低気温ＴＤＳ≦気温ＴＤ≦最高気温ＴＤＥ、かつ、湿度ＨＤ３＜湿度ＨＤ≦最高湿度ＨＤＥの領域ＡＲ４を、運転モードＭＤ＝ミスト停止と判定する領域とする。
【００８０】
図８は、第２運転モード判定基準データＤＥ２に記録された風速ＷＳ、及び運転モードＭＤについての関係を示す表形式の図である。周辺環境の風速が一定値を超えると、ミストを噴霧してもミストが風で流されて噴霧エリア外に飛散しやすくなり、目的とする空間を適切に冷却できない場合がある。このため、図８に示すように、第１実施形態では、周辺環境の風速ＷＳが所定の基準風速ＷＳ１を超えていると判定された場合は、運転モードＭＤをミスト停止とする。周辺環境の風速ＷＳが所定の基準風速ＷＳ１以下であると判定された場合には、運転モードＭＤをミスト発生とする。
【００８１】
図９は、運転モード制御データＤＥ３に記録された、運転モードＭＤ、気体圧力ＰＡ、及び液体圧力ＰＷの関係を示すテーブル形式の図である。図９に示すように、運転モードＭＤがミスト発生（強）と、ミスト発生（中）と、ミスト発生（弱）とのいずれかである場合、気体ポンプ１３１及び液体ポンプ１５１の運転は作動とされ、気体圧力ＰＡ、及び液体圧力ＰＷがそれぞれ関連付けられている。運転モードＭＤがミスト停止である場合は、気体ポンプ１３１及び液体ポンプ１５１の運転は停止とされる。
【００８２】
図９に示された、運転モードＭＤと、気体圧力ＰＡ、及び液体圧力ＰＷの組み合わせは、第１実施形態で用いられているミストノズル１７０の特性に基づいて決定されている（図５参照）。気体圧力ＰＡ及び液体圧力ＰＷの組み合わせと、それに対応するミスト粒径及びミスト発生量については、図１０を用いて以下に説明する。
【００８３】
図１０は、運転モードＭＤと、それに対応するミスト噴霧条件、ミスト粒径、及びミスト発生量の関係を示す表である。上述の通り、周辺環境の気温が高く、湿度が低い場合は、ミストの蒸発速度が速くなるため、ユーザの近傍でミストを噴霧してもミストは速やかに気化し、ユーザが濡れにくい状態となる。このため、気温が高く、湿度が低い場合の運転モードＭＤ＝ミスト発生（強）の場合は、ミスト粒径を大きくし、かつ、ミスト発生量を多くすることができる。第１実施形態では、周辺環境の気温が比較的高く、湿度が比較的低い場合は、ミストノズル１７０の特性（図５参照）から、ミスト粒径が大きく、ミスト発生量が多くなる、ミスト噴霧条件Ｐ３３を選択している。ミスト噴霧条件Ｐ３３で発生するミストは、図５に示されているように、ミスト粒径（Ｄ３３）が比較的大きく、ミスト発生量（ＦＷ３）も比較的多い。
【００８４】
周辺環境の気温及び湿度に基づいて、運転モードＭＤ＝ミスト発生（中）が選択される状態では、運転モードＭＤ＝ミスト発生（強）が選択される場合と比較して、気温が低く、あるいは湿度が高い状態になっている。この状態では、ミストの蒸発速度が遅くなるため、ユーザの近傍でミストを噴霧するとユーザが濡れる恐れがある。このため、運転モードＭＤ＝ミスト発生（中）の場合は、運転モードＭＤ＝ミスト発生（強）よりも、ミスト粒径を小さくするか、あるいは、ミスト発生量を少なくすることで、ユーザが濡れることを抑制している。第１実施形態では、ミストノズル１７０の特性（図５参照）から、ミスト噴霧条件Ｐ４２を選択している。ミスト噴霧条件Ｐ４２で発生するミストは、図５に示されているように、ミスト粒径Ｄ４２がミスト発生（強）の場合のミスト粒径Ｄ３３よりも小さい。また、ミスト発生量ＦＷ２がミスト発生（強）の場合のミスト発生量ＦＷ３よりも比較的少ない。
【００８５】
周辺環境の気温及び湿度に基づいて、運転モードＭＤ＝ミスト発生（弱）が選択される状態では、運転モードＭＤ＝ミスト発生（中）が選択される場合と比較して、気温が低く、あるいは湿度が高い状態になっている。この状態では、ミストの蒸発速度がさらに遅くなるため、ユーザの近傍でミストを噴霧するとユーザが濡れる恐れがある。このため、運転モードＭＤ＝ミスト発生（弱）の場合は、運転モードＭＤ＝ミスト発生（中）よりも、ミスト粒径を維持あるいは小さくするか、ミスト発生量を少なくすることで、ユーザが濡れることを抑制している。第１実施形態では、ミストノズル１７０の特性（図５参照）から、ミスト噴霧条件Ｐ２１を選択している。ミスト噴霧条件Ｐ２１で発生するミストは、図５に示されているように、ミスト粒径Ｄ２１がミスト発生（中）の場合のミスト粒径Ｄ４２とほぼ同等である。ミスト発生量ＦＷ１はミスト発生（中）の場合のミスト発生量ＦＷ２よりも比較的少ない。
【００８６】
周辺環境の気温及び湿度に基づいて、運転モードＭＤ＝ミスト停止が選択される状態では、運転モードＭＤ＝ミスト停止に対応するように、気体ポンプ１３１及び液体ポンプ１５１の運転を停止させるため、運転モードＭＤに対応するミスト噴霧条件とミスト粒径とミスト発生量の情報は無い。
【００８７】
なお、図１０に示した、運転モードＭＤと、それに対応するミスト噴霧条件の関係は一例である。例えば、図１０では、ミスト発生（中）の場合とミスト発生（弱）の場合において、ミスト粒径を変化させずに維持し、ミスト発生量のみを減少させるように、ミスト粒径がほぼ同等となるミスト噴霧条件を選択したが、ミスト粒径とミスト発生量とを共に変化させてもよい。例えば、運転モードＭＤ＝ミスト発生（弱）でのミスト噴霧条件として、ミスト噴霧条件Ｐ３１、Ｐ４１、あるいはＰ５１を選択してもよい。この場合、運転モードＭＤ＝ミスト発生（弱）におけるミスト粒径（Ｄ３１、Ｄ４１あるいはＤ５１）は、運転モードＭＤ＝ミスト発生（中）におけるミスト粒径Ｄ４２よりも小さくなり、かつ、ミスト発生量も減少する。
【００８８】
また、運転モードＭＤ＝ミスト発生（強）とミスト発生（中）との場合には、ミスト発生（中）でミスト粒径を小さくするため、ミスト噴霧条件Ｐ４２を選択したが、これに限定されない。例えば、ミスト発生（中）でミスト粒径を小さくし、かつ、ミスト発生量ＦＷ３を維持するように、ミスト噴霧条件Ｐ４３又はＰ５３を選択してもよい。あるいは、ミスト発生（中）でミスト発生（強）のミスト粒径と同等とし、かつ、ミスト発生量をＦＷ２に減少させるように、ミスト噴霧条件Ｐ１２を選択してもよい。
【００８９】
なお、図１０に示した、運転モードＭＤとミスト噴霧条件の関係の変更は、図９に示した、運転モード制御データＤＥ３に示した、運転モードＭＤ、気体圧力ＰＡ、及び液体圧力ＰＷの関係を変更することにより行うことができる。
［運転制御フロー］
図１１は、ミスト供給システム１００の運転を制御するフローを示す図である。図１１では、ミスト供給システム１００の制御のうち、ミストの発生と停止、ミストの粒径、及びミスト発生量を制御するためのフローを示している。
【００９０】
図１１に示すような運転制御フローがスタートすると（スタート）、まず、ステップＳＡ１で、制御部１８０は、環境情報取得部１９０が有する気温センサ１９１、湿度センサ１９２及び風速センサ１９３からの検出信号に基づいて、周辺環境の気温、湿度、及び風速を算出する。
【００９１】
次いで、ステップＳＡ２では、制御部１８０は、第２運転モード判定基準データＤＥ２を参照して、算出された風速ＷＳが所定の基準風速ＷＳ１以下であるかどうかを判定する。ステップＳＡ２で、風速ＷＳが所定の基準風速ＷＳ１を超えていると制御部１８０で判定された場合は（ステップＳＡ２でＮｏ）、ステップＳＡ１０に進む。ステップＳＡ１０に進む場合については後述する。
【００９２】
ステップＳＡ２で、風速ＷＳが所定の基準風速ＷＳ１以下であると制御部１８０で判定された場合は（ステップＳＡ２でＹｅｓ）、ステップＳＡ３に進む。
【００９３】
ステップＳＡ３では、第１運転モード判定基準データＤＥ１を参照して、ステップＳＡ１で算出された気温及び湿度の組み合わせが、第１運転モード判定基準データＤＥ１の領域ＡＲ１に該当するかを制御部１８０で判定する。気温及び湿度の組み合わせが領域ＡＲ１に該当すると制御部１８０で判定された場合は（ステップＳＡ３でＹｅｓ）、運転モードＭＤをミスト発生（強）と制御部１８０で判定し、ステップＳＡ４に進む。
【００９４】
ステップＳＡ４では、制御部１８０は、運転モード制御データＤＥ３を参照して、運転モードＭＤ＝ミスト発生（強）に対応する気体圧力ＰＡ及び液体圧力ＰＷとなるように、気体ポンプ１３１及び液体ポンプ１５１の運転を制御して、ミスト粒径及びミスト発生量を制御し、フローを終了する（エンド）。
【００９５】
一方、ステップＳＡ３で、気温及び湿度の組み合わせが領域ＡＲ１に該当しないと制御部１８０で判定された場合は（ステップＳＡ３でＮｏ）、ステップＳＡ５に進む。
【００９６】
ステップＳＡ５では、ステップＳＡ３と同様に、第１運転モード判定基準データＤＥ１を参照して、ステップＳＡ１で算出された気温及び湿度の組み合わせが、第１運転モード判定基準データＤＥ１の領域ＡＲ２に該当するかを制御部１８０で判定する。気温及び湿度の組み合わせが領域ＡＲ２に該当すると制御部１８０で判定された場合は（ステップＳＡ５でＹｅｓ）、運転モードＭＤをミスト発生（中）と制御部１８０で判定し、ステップＳＡ６に進む。
【００９７】
ステップＳＡ６では、ステップＳＡ４と同様に、制御部１８０は、運転モード制御データＤＥ３を参照して、運転モードＭＤ＝ミスト発生（中）に対応する気体圧力ＰＡ、及び液体圧力ＰＷとなるように、気体ポンプ１３１及び液体ポンプ１５１の運転を制御して、ミスト粒径及びミスト発生量を制御し、フローを終了する（エンド）。
【００９８】
一方、ステップＳＡ５で、気温及び湿度の組み合わせが領域ＡＲ２に該当しないと制御部１８０で判定された場合は（ステップＳＡ５でＮｏ）、ステップＳＡ７に進む。
【００９９】
ステップＳＡ７では、ステップＳＡ３及びステップＳＡ５と同様に、第１運転モード判定基準データＤＥ１を参照して、ステップＳＡ１で算出された気温及び湿度の組み合わせが、第１運転モード判定基準データＤＥ１の領域ＡＲ３に該当するかを制御部１８０で判定する。気温及び湿度の組み合わせが領域ＡＲ３に該当すると制御部１８０で判定された場合は（ステップＳＡ７でＹｅｓ）、運転モードＭＤをミスト発生（弱）と制御部１８０で判定し、ステップＳＡ８に進む。
【０１００】
ステップＳＡ８では、ステップＳＡ４及びステップＳＡ６と同様に、制御部１８０は、運転モード制御データＤＥ３を参照して、運転モードＭＤ＝ミスト発生（弱）に対応する気体圧力ＰＡ及び液体圧力ＰＷとなるように、気体ポンプ１３１及び液体ポンプ１５１の運転を制御して、ミスト粒径及びミスト発生量を制御し、フローを終了する（エンド）。
【０１０１】
一方、ステップＳＡ７で、気温及び湿度の組み合わせが領域ＡＲ３に該当しないと制御部１８０で判定された場合は（ステップＳＡ７でＮｏ）、ステップＳＡ９に進み、気温及び湿度の組み合わせが領域ＡＲ４に該当すると制御部１８０で判定される。
【０１０２】
ステップＳＡ９で気温及び湿度の組み合わせが領域ＡＲ４に該当すると制御部１８０で判定された場合、及び、ステップＳＡ２で、風速ＷＳが所定の基準風速ＷＳ１を超えていると制御部１８０で判定された場合は（ステップＳＡ２でＮｏ）、ステップＳＡ１０に進む。
【０１０３】
ステップＳＡ１０では、制御部１８０は、運転モードＭＤをミスト停止と判定し、ステップＳＡ１１に進む。
【０１０４】
ステップＳＡ１１では、制御部１８０は、運転モード制御データＤＥ３を参照して、運転モードＭＤ＝ミスト停止に対応するように、気体ポンプ１３１及び液体ポンプ１５１の運転を停止させる制御を行う。気体ポンプ１３１及び液体ポンプ１５１の運転を制御部１８０で停止させることでミストの発生は停止され、フローを終了する（エンド）。
【０１０５】
なお、ミスト供給システム１００の運転中に、制御部１８０で算出される周辺環境の気温、湿度、又は風速が変化した場合、制御部１８０は、前記の制御フローに沿って、周辺環境の変化した気温、湿度、又は風速に対応した運転モードＭＤに変化させる。その際、ミスト噴霧条件を変化させて、ミスト粒径及びミスト発生量を変化させる場合は、ミスト粒径が不用意に大きくならないように、液体圧力を先に制御し、その後で気体圧力を制御することが好ましい。
【０１０６】
なお、ステップＳＡ１で、気温及び湿度を算出し、風速を算出しない場合には、風速に関するステップＳＡ２は省略して、ステップＳＡ３から処理を進めるようにすればよい。
【０１０７】
以上、前記第１実施形態によれば、制御部１８０は、環境情報取得部１９０で取得された周辺環境の情報（例えば気温又は湿度）に基づいて、運転モード判定基準データを参照して運転モードを判定することにより、ノズル１７０から発生させるミストの粒径及びミスト発生量を制御する。このため、ユーザの近傍でミストを噴霧しても、ユーザが濡れにくい、快適なミストを供給することができる。
【０１０８】
［変形例］
本発明に係るミスト供給システムは、前記説明した第１実施形態に限定されない。例えば、気体ポンプと液体ポンプを個別に設けたが、気圧と液圧を制御できれば、気体ポンプと液体ポンプを個別に設けない構成にすることができる。
【０１０９】
ミストノズルに供給する液体及び気体は、例えば水及び空気としたが、これに限定されない。
【０１１０】
以上、本発明の第１実施形態を説明したが、上述した第１実施形態は本発明を実施するための例示に過ぎない。よって、本発明は、上述した第１実施形態に限定されることなく、その趣旨を逸脱しない範囲内で上述した第１実施形態を適宜変形して実施することが可能である。すなわち、前記様々な実施形態又は変形例のうちの任意の実施形態又は変形例を適宜組み合わせることにより、それぞれの有する効果を奏するようにすることができる。また、実施形態同士の組み合わせ又は実施例同士の組み合わせ又は実施形態と実施例との組み合わせが可能であると共に、異なる実施形態又は実施例の中の特徴同士の組み合わせも可能である。
【産業上の利用可能性】
【０１１１】
本発明の前記態様にかかるミスト供給システムは、ユーザの近傍でミストを噴霧しても、ユーザが濡れにくい、快適なミストを供給することができるため、ミストによる冷却が必要な休憩所や集客施設等に設置することができる。
【符号の説明】
【０１１２】
１００  ミスト供給システム
１３０  気体供給部
１３１  気体ポンプ
１３２  気体圧力センサ
１５０  液体供給部
１５１  液体ポンプ
１５２  液体圧力センサ
１７０  ミストノズル
１８０  制御部
１８１  メモリ
１８３  運転モード判定部
１８５  気体供給制御部
１８７  液体供給制御部
１９０  環境情報取得部
１９１  気温センサ
１９２  湿度センサ
１９３  風速センサ
２００  ミスト制御システム
【図１】
2018128235.tif 000003
【図２】
2018128235.tif 000004
【図３】
2018128235.tif 000005
【図４】
2018128235.tif 000006
【図５】
2018128235.tif 000007
【図６】
2018128235.tif 000008
【図７】
2018128235.tif 000009
【図８】
2018128235.tif 000010
【図９】
2018128235.tif 000011
【図１０】
2018128235.tif 000012
【図１１】
2018128235.tif 000013